(57)【要約】      （修正有）【課題】駆動電源を焼損することなく、駆動電源を容易に取り換える又は修理することができる照明器具を提供する。【解決手段】照明器具は、ハウジング２０と、該ハウジングに回転可能に連結されるカバー体３０とを備える。前記ハウジングの一端の内部には、駆動電源２１及び接続部品２２が設けられ、前記駆動電源は前記接続部品を介して外部電源に接続され、前記接続部品は、互いに連接され且つ分離可能であるプラグ及びソケットを備え、前記カバー体における前記ハウジングの前記一端から離れる他端に対応する箇所には、光源３１が装着され、前記光源と前記駆動電源は間隔を隔てて互いにずらして設けられており、前記駆動電源は、前記光源に電気的に接続され且つ外部電源を前記光源に必要な電源に変換して、前記光源を駆動させて発光させる。【選択図】図２
0003182543.tif 000002
【実用新案登録請求の範囲】
【請求項１】
ハウジングと、該ハウジングに回転可能に連結されるカバー体と、を備える照明器具であって、前記ハウジングの一端の内部には、駆動電源及び接続部品が設けられ、前記駆動電源は前記接続部品を介して外部電源に接続され、前記接続部品は、互いに連接され且つ分離可能であるプラグ及びソケットを備え、
前記カバー体における前記ハウジングの前記一端から離れる他端に対応する箇所には、光源が装着され、前記光源及び前記駆動電源は、間隔を隔てて互いにずらして設けられており、前記駆動電源は、前記光源に電気的に接続され、且つ外部電源を前記光源に必要な電源に変換して、前記光源を駆動させて発光させることを特徴とする照明器具。
【請求項２】
前記プラグは前記駆動電源に電気的に接続され、前記ソケットは導線を介して外部電源に電気的に接続されることを特徴とする請求項１に記載の照明器具。
【請求項３】
前記ハウジングの前記他端には、前記カバー体に面する凹陥部が設けられ、
前記カバー体には、前記ハウジングの凹陥部に対応して収容部が設けられ、
前記光源は前記収容部に装着されることを特徴とする請求項１又は２に記載の照明器具。
【請求項４】
前記収容部の外側には、前記光源を被覆している透明なシェード部が設けられていることを特徴とする請求項３に記載の照明器具。
【請求項５】
前記光源は、ＬＥＤ光源であり、且つ基板と該基板に設けられる複数のＬＥＤ素子とを備えることを特徴とする請求項１から４のいずれか一項に記載の照明器具。
【請求項６】
前記シェード部及び前記光源はいずれも防水構造を有する材料からなり、
前記シェード部の各々のＬＥＤ素子の光線出射位置に対応する箇所には、レンズが設けられており、
前記レンズは前記ＬＥＤ素子の出射光の照射パターンを調節し、前記レンズの表面には前記ＬＥＤ素子の出射光の色温度を調節するための膜層がさらにコーティングされていることを特徴とする請求項５に記載の照明器具。
【考案の詳細な説明】
【技術分野】
【０００１】
本考案は、照明器具に関するものである。
【背景技術】
【０００２】
従来の構造を有し且つ駆動電源を内蔵した照明器具において、駆動電源は光源付近に設けられている。従って、駆動電源は、照明器具の使用時間に伴い、光源が放出した熱量を長時間受けて加熱されてしまう。その結果、焼損などによって、その照明器具の使用寿命は短くなってしまう。
【０００３】
近年のＬＥＤ素子は使用寿命が長く、安全で且つ省エネルギーなどの利点を有することから、照明器具として幅広く用いられている。しかしながら、ＬＥＤ素子が放出する熱量は大きく、その熱量を従来の照明器具（例えばＬＥＤ街灯）に使用した場合、ＬＥＤ素子の使用寿命は照明器具の駆動電源の使用寿命に比べて遥かに長い。従って、先に前記照明器具の駆動電源が故障して、該駆動電源を取り換える又は修理する際、ＬＥＤ素子を壊さずに駆動電源を着脱することは、非常に不便である。
【考案の概要】
【考案が解決しようとする課題】
【０００４】
本考案は、従来の問題点に鑑みてなされたものであり、駆動電源を焼損することなく、駆動電源を容易に取り換える又は修理することができる照明器具を提供することを目的とする。
【課題を解決するための手段】
【０００５】
上記の課題を解決するために、本考案に係る照明器具は、ハウジングと、該ハウジングに回転可能に連結されるカバー体とを備える。前記ハウジングの一端の内部には駆動電源及び接続部品が設けられ、前記駆動電源は前記接続部品を介して外部電源に接続され、前記接続部品は、互いに連接され且つ分離可能であるプラグ及びソケットを備え、前記カバー体における前記ハウジングの前記一端から離れる他端に対応する箇所には、光源が装着され、前記光源と前記駆動電源は間隔を隔てて互いにずらして設けられており、前記駆動電源は、前記光源に電気的に接続され且つ外部電源を前記光源に必要な電源に変換して、前記光源を駆動させて発光させる。
【考案の効果】
【０００６】
従来の技術と異なり、本考案に照明器具は、光源と駆動電源とを間隔を隔てて互いにずらして設置する。これにより、電子部品を熱源から分離できるため、駆動電源の使用寿命を延ばすことができる。また、本考案は、相互に連接され、且つ分離可能であるプラグ及びソケットを用いて、これらを駆動電源及び外部電源にそれぞれ電気的に接続させるので、照明器具を修理することが容易である。
【図面の簡単な説明】
【０００７】
【図１】本考案の第一実施形態に係る照明器具の分解図である。
【図２】本考案の第二実施形態に係る照明器具の分解図である。
【考案を実施するための形態】
【０００８】
図１に示すように、本考案に係る照明器具１００は、発光本体部１０及び灯具支柱４０を備える。発光本体部１０は、ハウジング２０と、該ハウジング２０に回転可能に連結されるカバー体３０と、を備える。カバー体３０は、ハウジング２０に対して開閉することができる。灯具支柱４０は、ハウジング２０の一端に連接されている。本実施形態において、照明器具１００はＬＥＤ素子を光源とする街灯である。
【０００９】
ハウジング２０における灯具支柱４０から離れる一端の上面には、凹陥部２０１がカバー体３０に対向して設けられている。また、ハウジング２０の一端の内部には、駆動電源２１及び接続部品２２が凹陥部２０１の中央部から離れて設けられている。該駆動電源２１は、該接続部品２２を介して外部電源（図示せず）に接続される。該接続部品２２は、互いに連接され且つ互いに分離可能であるプラグ２２１及びソケット２２２を備える。プラグ２２１は駆動電源２１に電気的に接続され、ソケット２２２は導線５１を介して外部電源に電気的に接続される。本実施形態において、プラグ２２１は標準のＥ２７型番或いはＥ４０型番の発光本体部を採用する。
【００１０】
カバー体３０のハウジング２０に対向する表面には、収容部３０１が凹陥部２０１に対応して設けられている。また、収容部３０１の外側には、透明なシェード部３２が設けられており、収容部３０１の内部には光源３１が設けられている。発光本体部１０が閉じられた（即ち、カバー体３０とハウジング２０とが重なる状態）後、光源３１は駆動電源２１と所定の間隔を置いて相互にずれて位置する。本実施形態において、光源３１は、基板３１１と、該基板３１１に設けられた複数のＬＥＤ素子３１２とを備える。駆動電源２１は、導線５２を介して光源３１に電気的に接続されており、且つ外部電源をＬＥＤ素子３１２に必要な低圧直流電源に変換して、該ＬＥＤ素子３１２を駆動させて発光させる。
【００１１】
図２を参照すると、本考案の第二実施形態において、シェード部３３及び光源３１は、いずれも防水構造を有する材料からなる。また、シェード部３３のＬＥＤ素子３１２の光線出射位置に対応する箇所には、レンズ３３１が設けられている。レンズ３３１は、ＬＥＤ素子３１２の出射光の照射パターンを調節するために用いられる。つまり、レンズ３３１によって、光源３１の光出射角度を調節することができる。さらに、レンズ３３１の表面には、ＬＥＤ素子３１２の出射光の色温度を調節するための膜層がコーティングされている。この膜層によって、本考案の照明器具１００’は既存の高圧ナトリウムランプの色温度の標準範囲に達し、従来の高圧ナトリウムランプに代替することができる。
【００１２】
また、カバー体３０の周縁部には、複数の係止フック３４がさらに設けられている。これに対応して、ハウジング２０の一端の上面には、係止フック３４と組み合せる係合凹溝（図示せず）が設けられており、カバー体３０とハウジング２０とを一体に固定してもよい。
【００１３】
上記の実施形態によれば、本考案の発光本体部１０は、光源と駆動電源とを間隔を隔てて互いにずらして設置する。これにより、電子部品を熱源から分離できるため、駆動電源２１の使用寿命を延ばすことができる。また、本考案は、相互に連接され且つ分離可能であるプラグ及びソケットを用いて、これらを駆動電源２１及び外部電源にそれぞれ電気的に接続させるので、照明器具を修理することが容易である。
【００１４】
以上、本考案の好適な実施形態について詳細に説明したが、本考案は前記実施形態に限定されるものではなく、本考案の範囲内で種々の変形又は改良が可能であり、該変形又は改良も、本考案の特許請求の範囲内に含まれることであるのは、いうまでもない。
【符号の説明】
【００１５】
１０    発光本体部
２０    ハウジング
２１    駆動電源
２２    接続部品
３０    カバー体
３１    光源
３２、３３    シェード部
３４    係止フック
４０    灯具支柱
５１、５２    導線
１００、１００’    照明器具
２０１    凹陥部
２２１    プラグ
２２２    ソケット
３０１    収容部
３１１    基板
３１２    ＬＥＤ素子
３３１    レンズ
【図１】
0003182543.tif 000003
【図２】
0003182543.tif 000004